(57)【要約】【課題】装置の動作停止時における受光素子による電力の消費を抑制することができる光量測定装置を提供する。【解決手段】受光した光量に応じた電気信号を出力するフォトダイオード６０Ａ，６０Ｂとフォトダイオード６０Ａ，６０Ｂに電力を供給する電力供給部５２との間に介在された、フォトダイオード６０Ａ，６０Ｂと電力供給部５２との接続及び切断を切り替えるＦＥＴ６２Ａが、ＣＰＵ４０及び駆動制御部６６によって、フォトダイオード６０Ａ，６０Ｂを動作状態にする場合はフォトダイオード６０Ａ，６０Ｂと電力供給部５２とを接続し、フォトダイオード６０Ａ，６０Ｂを非動作状態にする場合はフォトダイオード６０Ａ，６０Ｂと電力供給部５２とを切断するように制御される。【選択図】図３
2010133898.tif 000002
【特許請求の範囲】
【請求項１】
受光した光量に応じた電気信号を出力する受光素子と、
前記受光素子に電力を供給する電力供給手段と、
前記受光素子と前記電力供給手段との間に介在され、前記受光素子と前記電力供給手段との接続及び切断を切り替える電力切替手段と、
前記受光素子を動作状態にする場合は、前記電力切替手段によって前記受光素子と前記電力供給手段とが接続され、前記受光素子を非動作状態にする場合は、前記電力切替手段によって前記受光素子と前記電力供給手段とが切断されるように制御する制御手段と、
を備えた光量測定装置。
【請求項２】
前記受光素子から出力された前記電気信号を増幅する増幅手段を更に備え、
前記制御手段は、前記受光素子を動作状態にする場合は、前記増幅手段を動作状態にし、前記受光素子を非動作状態にする場合は、前記増幅手段を非動作状態にするように制御する請求項１記載の光量測定装置。
【請求項３】
前記受光素子と前記増幅手段とを接続する配線と接地部との接続及び切断を切り替える接地部切替手段を更に備え、
前記制御手段は、前記受光素子を動作状態にする場合は、前記接地部切替手段によって前記配線と前記接地部とが切断され、前記受光素子を非動作状態にする場合は、前記接地部切替手段によって前記配線と前記接地部とが接続されるように制御する請求項２記載の光量測定装置。
【発明の詳細な説明】
【技術分野】
【０００１】
本発明は、受光した光量を測定する光量測定装置に関する。
【背景技術】
【０００２】
近年、太陽光等に含まれる所定の波長の光量を測定するための光量測定装置が普及している。
【０００３】
特許文献１には、可視光領域及び赤外領域に感度を有するフォトダイオードが設けられた光検出領域と、光検出領域の光入射面側に形成された赤外領域の光を遮光するための光学フィルタとを備えた光量測定装置であって、上記フォトダイオードに接続されている電力供給部によって、上記フォトダイオードに逆バイアスを印加することで光量を測定する技術が開示されている。
【０００４】
また、特許文献２には、シリコン基板上に２つのフォトダイオードを形成し、可視光領域の光を遮断して赤外領域の光のみを透過させる光学フィルタを、一方のフォトダイオードにのみ設けた半導体光センサ装置であって、上記２つのフォトダイオードに接続されている電力供給部によって、上記２つのフォトダイオードに逆バイアスを印加し、上記２つのフォトダイオードからの出力を減算することで可視光領域の光量を測定する技術が開示されている。
【特許文献１】特開２００５−３３７８２７号公報
【特許文献２】特開２００６−３３２２２６号公報
【発明の開示】
【発明が解決しようとする課題】
【０００５】
しかしながら、特許文献１及び特許文献２に開示されている技術では、フォトダイオードが電力供給部に直接接続されているため、装置の動作を停止させても、フォトダイオードに光が照射されると、受光した光量に応じた大きさの電流が当該フォトダイオードにより発生する。そのため、一例として、図６に示すように、装置の動作停止時でも、光が照射されると、光が照射されない場合に比較して大きな消費電流（以下、「停止時消費電流」という。）が発生し、電力の消費が促進されてしまう、という問題点があった。
【０００６】
本発明は上記問題点を解決するためになされたものであり、装置の動作停止時における受光素子による電力の消費を抑制することができる光量測定装置を提供することを目的とする。
【課題を解決するための手段】
【０００７】
上記目的を達成するために、請求項１の発明は、受光した光量に応じた電気信号を出力する受光素子と、前記受光素子に電力を供給する電力供給手段と、前記受光素子と前記電力供給手段との間に介在され、前記受光素子と前記電力供給手段との接続及び切断を切り替える電力切替手段と、前記受光素子を動作状態にする場合は、前記電力切替手段によって前記受光素子と前記電力供給手段とが接続され、前記受光素子を非動作状態にする場合は、前記電力切替手段によって前記受光素子と前記電力供給手段とが切断されるように制御する制御手段と、を備えている。
【０００８】
請求項１に記載の光量測定装置によれば、受光素子によって、受光した光量に応じた電気信号が出力され、当該受光素子には電力供給手段によって電力が供給される。
【０００９】
なお、上記受光素子には、フォトダイオード、フォトトランジスタ等の光電変換素子が含まれる。
【００１０】
ここで、本発明では、受光素子と電力供給手段との間に介在される電力切替手段によって、受光素子と電力供給手段との接続及び切断が切り替えられ、制御手段により、受光素子を動作状態にする場合は、電力切替手段によって受光素子と電力供給手段とが接続され、受光素子を非動作状態にする場合は、電力切替手段によって受光素子と電力供給手段とが切断されるように制御される。
【００１１】
なお、上記電力切替手段には、ＦＥＴ（電界効果トランジスタ）、バイポーラ型トランジスタ等の半導体スイッチの他、リレースイッチ等の電気的に断続可能なメカニカルスイッチが含まれる。
【００１２】
このように、請求項１に記載の光量測定装置によれば、受光素子を非動作状態にする場合は、受光素子と電力供給手段とを切断するので、装置の動作停止時における受光素子による電力の消費を抑制することができる。
【００１３】
また、本発明は、請求項２に記載の発明のように、前記受光素子から出力された前記電気信号を増幅する増幅手段を更に備え、前記制御手段が、前記受光素子を動作状態にする場合は、前記増幅手段を動作状態にし、前記受光素子を非動作状態にする場合は、前記増幅手段を非動作状態にするように制御してもよい。これにより、装置の動作停止時における電力の消費をより抑制することができる。
【００１４】
特に請求項２に記載の発明は、請求項３に記載の発明のように、前記受光素子と前記増幅手段とを接続する配線と接地部との接続及び切断を切り替える接地部切替手段を更に備え、前記制御手段が、前記受光素子を動作状態にする場合は、前記接地部切替手段によって前記配線と前記接地部とが切断され、前記受光素子を非動作状態にする場合は、前記接地部切替手段によって前記配線と前記接地部とが接続されるように制御してもよい。これにより、装置の動作停止時に受光素子が受光することによって発生した電流が、増幅手段を介した経路で電力供給手段に流れることを防ぐので、装置の動作停止時における受光素子による電力の消費をより抑制することができる。
【発明の効果】
【００１５】
以上説明した如く、本発明によれば、装置の動作停止時における受光素子による電力の消費を抑制する、という優れた効果を有する。
【発明を実施するための最良の形態】
【００１６】
以下、図面を参照して、本発明の実施の形態について詳細に説明する。なお、本実施の形態では、本発明を、携帯電話機に適用した場合について説明する。
【００１７】
図１に示すように、携帯電話機１０は、表示部１２、操作部１４、及び連結部１６を備え、表示部１２と操作部１４とが連結部１６により開閉可能に連結された構造とされている。
【００１８】
表示部１２は、電話帳、ＷＷＷ（Ｗｏｒｌｄ  Ｗｉｄｅ  Ｗｅｂ）ブラウザ、及び文字の入力を補助するための五十音表を含むキーボード画像等の画像を表示する液晶ディスプレイ（以下、「ＬＣＤ」という。）２０、表示部１２に照射される太陽光や室内光等の光量を測定する光量測定部２２、及び音声を出力するスピーカ２３を備えている。
【００１９】
操作部１４には、電話番号や文字の入力、各種動作モードの指示入力等を行なうための複数の操作スイッチ２４、及び音声を入力するためのマイク２５が設けられている。なお、本実施の形態に係る携帯電話機１０の上記動作モードには、他の電話機との間で通話を行う通話モード、ＷＷＷプラウザを介して通信を行うＷＷＷモード、光量測定部２２で光量の測定を行う光量測定モード等が含まれる。
【００２０】
図２に、携帯電話機１０の光量測定部２２及びその周辺の破断側面図を示す。
【００２１】
同図に示すように、光量測定部２２は、光を透過させるカバー３０、基板３２に設けられ、上記カバー３０を透過した光の可視光領域の光量を測定し、測定した光量に応じた電圧を出力する光量測定回路３４を備えている。
【００２２】
次に、図３を参照して、本実施の形態に係る携帯電話機１０の光量の測定に関する電気系の要部構成を説明する。
【００２３】
同図に示すように、携帯電話機１０は、携帯電話機１０全体の動作を司るＣＰＵ（Ｃｅｎｔｒａｌ  Ｐｒｏｃｅｓｓｉｎｇ  Ｕｎｉｔ）４０、各種制御プログラムや各種テーブル情報等が予め記憶されたＲＯＭ（Ｒｅａｄ  Ｏｎｌｙ  Ｍｅｍｏｒｙ）４２、ＣＰＵ４０による各種プログラムの実行時のワークエリアや、各種情報を記憶するために用いられるＲＡＭ（Ｒａｎｄｏｍ  Ａｃｃｅｓｓ  Ｍｅｍｏｒｙ）４４、光量測定モードが設定された場合において光量測定回路３４から出力された電圧をデジタル情報に変換するＡＤＣ（Ａｎａｌｏｇ  Ｄｅｇｉｔａｌ  Ｃｏｎｖｅｒｔｅｒ）４６、ＡＤＣ４６から出力されたデジタル情報をＣＰＵ４０で処理しやすい形式に変換してＣＰＵ４０へ出力するインタフェース部４８、電話帳、ＷＷＷブラウザ等をＬＣＤ２０に表示させるための信号を生成してＬＣＤ２０に供給すると共に、ＬＣＤ２０のバックライトを点灯させるＬＣＤ駆動部５０、携帯電話機１０の各構成部に電力を供給する電力供給部５２、及び上述した操作スイッチ２４、光量測定回路３４を備えている。
【００２４】
なお、ＣＰＵ４０、ＲＯＭ４２、ＲＡＭ４４、ＬＣＤ駆動部５０、及び操作スイッチ２４はシステムバス５４を介して相互に電気的に接続されている。従って、ＣＰＵ４０は、ＲＯＭ４２、及びＲＡＭ４４へのアクセス、ＬＣＤ駆動部５０を介したＬＣＤ２０による各種情報の表示、及び操作スイッチ２４に対する操作状態の把握を、各々行なうことができる。
【００２５】
また、本実施の形態に係るＣＰＵ４０は、光量測定モードが設定されているか否かを示す光量測定モード信号を光量測定回路３４に出力する。なお、本実施の形態に係るＣＰＵ４０は、光量測定モードが設定されている場合は、光量測定モード信号としてハイレベル（Ｈｉｇｈ  Ｌｅｖｅｌ）の信号を光量測定回路３４に出力する一方、光量測定モードの設定が解除されている場合は、光量測定モード信号としてローレベル（Ｌｏｗ  Ｌｅｖｅｌ）の信号を光量測定回路３４へ出力する。
【００２６】
一方、光量測定回路３４は、図３に示されるように、各々受光した光量に応じた電気信号（本実施の形態では、電流）を出力する受光素子であるフォトダイオード６０Ａ，６０Ｂ、フォトダイオード６０Ａ，６０Ｂと電力供給部５２との間に介在され、フォトダイオード６０Ａ，６０Ｂと電力供給部５２との接続及び切断を切り替えるＦＥＴ６２Ａ、フォトダイオード６０Ａ，６０Ｂから出力された電流を増幅する増幅部６４、フォトダイオード６０Ａ，６０Ｂと増幅部６４とを接続する配線６８と接地部７０との接続及び切断を切り替えるＦＥＴ６２Ｂ、ＣＰＵ４０から出力された光量測定モード信号が入力される駆動制御部６６が備えられている。
【００２７】
本実施の形態に係るフォトダイオード６０Ａ，６０Ｂは、共に可視光領域の波長の光及び赤外領域の波長の光に感度を持っており、フォトダイオード６０Ｂの受光面には、可視光領域の波長の光を透過させないフィルタが設けられている。
【００２８】
なお、電力供給部５２の出力端子はＦＥＴ６２Ａのソースに接続され、ＦＥＴ６２Ａのドレインはフォトダイオード６０Ａのカソードに接続され、フォトダイオード６０Ａのアノードはフォトダイオード６０Ｂのカソードに接続され、フォトダイオード６０Ｂのアノードは接地部７０に接続されている。
【００２９】
また、フォトダイオード６０Ａのアノードとフォトダイオード６０Ｂのカソードとの接続は分岐され、配線６８を介して増幅部６４に接続されている。また、配線６８には、ＦＥＴ６２Ｂのソースが接続され、ＦＥＴ６２Ｂのドレインは接地部７０に接続されている。さらに、ＦＥＴ６２Ａ，６２Ｂのゲートは、各々駆動制御部６６に接続されている。
【００３０】
増幅部６４は、オペアンプ７２、及び抵抗７４を含んで構成されており、オペアンプ７２の反転入力端子は配線６８と接続されると共に、抵抗７４を介して自身の出力端子と接続される一方、オペアンプ７２の非反転入力端子は所定の参照電圧が印加されている。すなわち、増幅部６４は、電流電圧変換を兼ねて構成されている。また、オペアンプ７２を動作させるための電力が供給される電力供給端子は駆動制御部６６に接続されており、オペアンプ７２を動作させるための電力は、駆動制御部６６を介して電力供給部５２から供給されている。
【００３１】
駆動制御部６６は、ＣＰＵ４０から出力された光量測定モード信号の入力を受け付け、当該光量測定モード信号の状態に基づいて、ＦＥＴ６２Ａ，６２Ｂのオン及びオフの切り替え、オペアンプ７２の動作状態及び非動作状態の切り替えを行う。
【００３２】
次に、図４を参照して、本実施の形態に係る携帯電話機１０の作用を説明する。なお、図４は、光量測定モードの設定、及び光量測定モードの設定の解除を示す指示信号が操作スイッチ２４を介して入力された場合にＣＰＵ４０によって実行される光量測定動作制御プログラムの処理の流れを示すフローチャートであり、当該プログラムはＲＯＭ４２の所定領域に予め記憶されている。
【００３３】
ステップ１００では、光量測定モードが設定されたか否かを判定し、肯定判定となった場合はステップ１０２へ移行する一方、否定判定となった場合はステップ１０４へ移行する。
【００３４】
ステップ１０２では、フォトダイオード６０Ａ，６０Ｂを動作状態にさせると共に、配線６８と接地部７０とを切断させ、オペアンプ７２を動作状態にさせる。
【００３５】
具体的には、ハイレベルの光量測定モード信号を駆動制御部６６へ出力する。
【００３６】
駆動制御部６６は、ハイレベルの光量測定モード信号が入力されると、フォトダイオード６０Ａ，６０Ｂを動作状態とするために、ＦＥＴ６２Ａのゲートに、ＦＥＴ６２Ａをオン状態とすることが可能な予め定められた電圧（以下、「オン電圧」という。）を印加し、ＦＥＴ６２Ａによってフォトダイオード６０Ａ，６０Ｂと電力供給部５２とを接続させる。
【００３７】
また、本実施の形態に係る駆動制御部６６は、配線６８と接地部７０とが切断されるように、ＦＥＴ６２Ｂのゲートにオン電圧よりも小さい大きさの電圧（以下、「オフ電圧」という。）を印加してＦＥＴ６２Ｂをオフ状態にし、さらに、オペアンプ７２を動作状態にさせるために、オペアンプ７２の電力供給端子に電力を供給する。
【００３８】
このように、ＦＥＴ６２Ａによってフォトダイオード６０Ａ，６０Ｂと電力供給部５２とが接続されることにより、フォトダイオード６０Ａ，６０Ｂには逆バイアスが印加され、受光した光量に応じた大きさの電流を出力する。なお、上述したように、フォトダイオード６０Ａ，６０Ｂは、赤外領域の波長の光及び可視光領域の波長の光に感度を持っており、フォトダイオード６０Ｂの受光面には、可視光領域の波長の光を透過させないフィルタが設けられているため、フォトダイオード６０Ａからは赤外領域及び可視光領域の光量に応じた電流ＩＡが出力され、フォトダイオード６０Ｂからは赤外領域の光量に応じた電流ＩＢが出力される。そして、このときＦＥＴ６２Ｂがオフ状態とされているため、増幅部６４には、電流ＩＡから電流ＩＢが減じられた電流ＩＣ、すなわち可視光領域の光量に応じた電流が配線６８を介して入力され、増幅部６４は、入力された電流ＩＣを電圧に変換し、ＡＤＣ４６に出力する。そして、上記電圧は、ＡＤＣ４６によって光量測定回路３４で測定された光量を示すデジタル情報に変換され、インタフェース部４８を介してＣＰＵ４０に入力される。ＣＰＵ４０は、上記デジタル情報により示される光量が大きい場合はＬＣＤ２０のバックライトの光量を少なくし、上記デジタル情報により示される光量が小さい場合はＬＣＤ２０のバックライトの光量を多くするように制御する。
【００３９】
一方、ステップ１０４では、光量測定モードの設定が解除されている場合であり、フォトダイオード６０Ａ，６０Ｂを非動作状態にさせると共に、配線６８と接地部７０とを接続させ、オペアンプ７２を非動作状態にさせる。
【００４０】
具体的には、ローレベルの光量測定モード信号を駆動制御部６６へ出力する。
【００４１】
駆動制御部６６は、ローレベルの光量測定モード信号が入力されると、フォトダイオード６０Ａ，６０Ｂを非動作状態にするために、ＦＥＴ６２Ａのゲートにオフ電圧を印加し、ＦＥＴ６２Ａによってフォトダイオード６０Ａ，６０Ｂと電力供給部５２とを切断させる。
【００４２】
また、本実施の形態に係る駆動制御部６６は、ＦＥＴ６２Ｂによって配線６８と接地部７０とが接続されるように、ＦＥＴ６２Ｂのゲートにオン電圧を印加し、オペアンプ７２を非動作状態にするためにオペアンプ７２への電力の供給を停止する。
【００４３】
このように、ＦＥＴ６２Ａによってフォトダイオード６０Ａ，６０Ｂと電力供給部５２とが切断されることにより、フォトダイオード６０Ａ，６０Ｂに対する逆バイアスの印加は停止され、電力供給部５２で消費される電力は抑制される。
【００４４】
しかし、フォトダイオード６０Ａ，６０Ｂは、逆バイアスが印加されていなくても、受光すると電流を発生する場合がある。そのため、配線６８が接地されていない場合は、オペアンプ７２が非動作状態となっていても、抵抗７４を介した経路から電力供給部５２に電流が流れ、電力を消費する可能性がある。そこで、本実施の形態に係る携帯電話機１０では、フォトダイオード６０Ａ，６０Ｂを非動作状態とする場合に、ＦＥＴ６２Ｂによって配線６８と接地部７０とを接続させることで、フォトダイオード６０Ａ，６０Ｂで発生する電流が電力供給部５２に流れないようにしている。
【００４５】
そして、ステップ１０２、又はステップ１０４の処理が終了すると、本プログラムを終了する。
【００４６】
図５に、本実施の形態に係る光量測定回路３４にＦＥＴ６２Ａが設けられている場合と、ＦＥＴ６２Ａが設けられていない場合の、受光した光量と停止時消費電流との関係の一例を示す。
【００４７】
同図に示すように、ＦＥＴ６２Ａを設けていない光量測定回路では、受光する光量が多くなるに連れて停止時消費電流は大きくなるが、ＦＥＴ６２Ａを備えている本実施の形態に係る光量測定回路３４では、受光する光量が多くなるに連れて停止時消費電流が大きくなることはない。
【００４８】
以上詳細に説明したように、本実施の形態では、受光した光量に応じた電気信号を出力する受光素子（ここでは、フォトダイオード６０Ａ，６０Ｂ）と受光素子に電力を供給する電力供給手段（ここでは、電力供給部５２）との間に介在された、受光素子と電力供給手段との接続及び切断を切り替える電力切替手段（ここでは、ＦＥＴ６２Ａ）が、制御手段（ここでは、ＣＰＵ４０及び駆動制御部６６）によって、受光素子を動作状態にする場合は受光素子と電力供給手段とを接続し、受光素子を非動作状態にする場合は受光素子と電力供給手段とを切断するように制御されるので、装置の動作停止時における受光素子による電力の消費を抑制することができる。
【００４９】
また、本実施の形態では、受光素子から出力された電気信号を増幅する増幅手段（ここでは、増幅部６４）を更に備え、制御手段が、受光素子を動作状態にする場合は、増幅手段を動作状態にし、受光素子を非動作状態にする場合は、増幅手段を非動作状態にするように制御するので、装置の動作停止時の電力の消費をより抑制することができる。
【００５０】
また、本実施の形態では、受光素子と増幅手段とを接続する配線と接地部との接続及び切断を切り替える接地部切替手段（ここでは、ＦＥＴ６２Ｂ）を更に備え、制御手段が、受光素子を動作状態にする場合は、接地部切替手段によって配線と接地部とが切断され、受光素子を非動作状態にする場合は、接地部切替手段によって配線と接地部とが接続されるように制御するので、装置の動作停止時における受光素子による電力の消費をより抑制することができる。
【００５１】
以上、本発明を上記実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００５２】
また、上記実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における組み合わせにより種々の発明を抽出できる。上記実施の形態に示される全構成要件から幾つかの構成要件が削除されても、効果が得られる限りにおいて、この幾つかの構成要件が削除された構成が発明として抽出され得る。
【００５３】
例えば、上記実施の形態では、光量測定モードが設定された場合にフォトダイオード６０Ａ，６０Ｂを動作状態とし、光量測定モードの設定が解除された場合にフォトダイオード６０Ａ，６０Ｂを非動作状態とする場合について説明したが、本発明はこれに限定されるものではなく、携帯電話機１０の表示部１２と操作部１４とが開かれた場合に、フォトダイオード６０Ａ，６０Ｂを動作状態とし、携帯電話機１０の表示部１２と操作部１４とが閉じられた場合に、フォトダイオード６０Ａ，６０Ｂを非動作状態とする形態としてもよいし、携帯電話機１０の電源がオンとされた場合に、フォトダイオード６０Ａ，６０Ｂを動作状態とし、携帯電話機１０の電源がオフとされた場合に、フォトダイオード６０Ａ，６０Ｂを非動作状態とする形態としてもよい。
【００５４】
また、上記実施の形態では、光量測定部２２を表示部１２のＬＣＤ２０が設けられている面（表面）に備えた場合について説明したが、本発明はこれに限定されるものではなく、光量測定部２２を表示部１２のＬＣＤ２０が設けられていない面（裏面）に備えた形態としてもよい。
【００５５】
また、上記実施の形態では、本発明に係る光量測定装置を携帯電話機１０に適用する場合について説明したが、本発明はこれに限定されるものではなく、ＰＤＡ（Personal Digital Assistant）等の他の携帯型情報端末機器やパーソナル・コンピュータに用いる液晶モニタ、及び液晶テレビ等の画像表示装置や、予め定められた時刻と時刻との間に点灯する街灯等に適用する形態としてもよい。
【００５６】
なお、本発明に係る光量測定装置を上記街灯に適用する形態の場合は、上記予め定められた時刻と時刻との間に、フォトダイオード６０Ａ，６０Ｂを動作状態とし、光量測定回路３４から出力された電気信号に基づいて、街灯が発する光量を制御し、上記予め定められた時刻と時刻との間以外では、フォトダイオード６０Ａ，６０Ｂを非動作状態とする。
【００５７】
また、上記実施の形態では、光量測定回路３４で出力された電圧に基づいて、ＬＣＤ２０のバックライトの光量を制御する場合について説明したが、本発明はこれに限定されるものではなく、測定した光量を表示する光量表示装置に適用する形態としてもよい。
【００５８】
この形態の場合、上記光量表示装置の電源がオンとされた場合に、フォトダイオード６０Ａ，６０Ｂを動作状態とし、上記光量表示装置の電源がオフとされた場合に、フォトダイオード６０Ａ，６０Ｂを非動作状態とする。
【００５９】
また、上記実施の形態では、光量測定回路３４によって可視光領域の光量を測定する場合について説明したが、本発明はこれに限定されるものではなく、赤外領域の光量や、紫外領域の光量等、他の領域の光量を測定する形態としてもよい。
【００６０】
その他、上記実施の形態で説明した携帯電話機１０の構成（図１〜図３参照。）は一例であり、本発明の主旨を逸脱しない範囲内において不要な部分を削除したり、新たな部分を追加したりすることができることは言うまでもない。
【００６１】
また、上記実施の形態で説明した光量測定動作制御プログラムの処理の流れ（図４参照。）も一例であり、本発明の主旨を逸脱しない範囲内において不要なステップを削除したり、新たなステップを追加したり、処理順序を入れ替えたりすることができることは言うまでもない。
【図面の簡単な説明】
【００６２】
【図１】実施の形態に係る携帯電話機の外観図である。
【図２】実施の形態に係る携帯電話機の光量測定部及びその周辺の破断側面図である。
【図３】実施の形態に係る携帯電話機の光量測定に関する電気系の要部構成を示すブロック図（一部回路図）である。
【図４】実施の形態に係る光量測定動作制御プログラムの処理の流れを示すフローチャートである。
【図５】実施の形態に係る光量測定回路にＦＥＴが設けられている場合と、ＦＥＴが設けられていない場合の、受光した光量と停止時消費電流との関係の一例を示すグラフである。
【図６】従来の問題点の説明に供する図であり、照射される光量と停止時消費電流との関係一例を示すグラフである。
【符号の説明】
【００６３】
１０    携帯電話機
３４    光量測定回路
４０    ＣＰＵ
６０Ａ  フォトダイオード
６０Ｂ  フォトダイオード
６２Ａ  ＦＥＴ
６２Ｂ  ＦＥＴ
６４    増幅部
６６    駆動制御部
６８    配線
７０    接地部
【図１】
2010133898.tif 000003
【図２】
2010133898.tif 000004
【図３】
2010133898.tif 000005
【図４】
2010133898.tif 000006
【図５】
2010133898.tif 000007
【図６】
2010133898.tif 000008